(57)【要約】【課題】画像形成の態様に応じて操作手順を適宜選択可能にして画像形成時の操作性乃至は作業性を向上する原稿読取装置及び画像形成装置を提供する。【解決手段】原稿載置部に載置された複数枚の原稿を原稿読取部５００に向けて順次搬送する原稿搬送部を備え、原稿読取部で原稿の画像を読み取る画像読取装置において、原稿載置部に載置された原稿の有無を検出する原稿検知手段６１０と、外部から原稿画像の読み取りの開始を操作指示する操作手段４００と、操作手段への操作に応答して原稿の順次搬送と原稿読取部での各原稿の画像の読み取りとを行う第１のモードと、原稿検知手段が原稿の有無を検知することに応答して原稿の順次搬送と原稿読取部での各原稿の画像の読み取りとを行う第２のモードとを選択的に操作指定するモード選択手段４００と、原稿載置部に原稿が載置される毎に、指定されたモードの処理を実行する制御手段２１とを備える。【選択図】          図２
2004304593.tif 000002
【特許請求の範囲】
【請求項１】
原稿載置部に載置された複数枚の原稿を原稿読取部に向けて順次搬送する原稿搬送部を備え、前記原稿読取部で原稿の画像を読み取る画像読取装置において、
前記原稿載置部に載置された原稿の有無を検出する原稿検知手段と、外部から原稿画像の読み取りの開始を操作指示する操作手段と、前記操作手段への操作に応答して前記原稿の順次搬送と前記原稿読取部での各原稿の画像の読み取りとを行う第１のモードと、前記原稿検知手段が原稿の有無を検知することに応答して前記原稿の順次搬送と前記原稿読取部での各原稿の画像の読み取りとを行う第２のモードとを選択的に操作指定するモード選択手段と、前記原稿載置部に原稿が載置される毎に、指定されたモードの処理を実行する制御手段とを備えたことを特徴とする画像読取装置。
【請求項２】
制御手段は、前記第２のモードの指定が解除されるまでは、前記原稿載置部に原稿が載置される毎に前記第２のモードの処理を実行することを特徴とする請求項１に記載の画像読取装置。
【請求項３】
第２のモードの指定の解除を指示する解除操作手段を備えることを特徴とする請求項２に記載の画像読取装置。
【請求項４】
制御手段は、前記モード選択手段による前記第２のモードの指定操作前に原稿が前記原稿載置部に載置されているときは、前記第１のモードの処理を実行することを特徴とする請求項１〜３のいずれかに記載の画像読取装置。
【請求項５】
制御手段は、原稿が前記原稿載置部に載置された後に前記モード選択手段による前記第２のモードの指定が行われたときは、前記第２のモードの処理を実行することを特徴とする請求項１〜３のいずれかに記載の画像読取装置。
【請求項６】
請求項１〜５のいずれかに記載の画像読取装置と、読み取った原稿の画像データを記録紙に転写する像形成部を備えてなる画像形成装置。
【発明の詳細な説明】
【０００１】
【発明の属する技術分野】
本発明は、原稿載置部に載置された複数枚の原稿を原稿読取部に向けて順次搬送する原稿搬送部を備え、前記原稿読取部で原稿の画像を読み取る画像読取装置及び複写機、スキャナ及びファクシミリ等の画像形成装置に関するものである。
【０００２】
【従来の技術】
従来、複写機において、コピーキーが押下されると、原稿載置部に積層載置された複数枚の原稿を順次搬出し、原稿読取部に導く原稿搬送装置（ＡＤＦ：Ａｕｔｏ  ｄｏｃｕｍｅｎｔ  ｆｅｅｄｅｒ、ＲＡＤＦ：Ｒｅｖｅｒｓｉｂｌｅ  Ａｕｔｏ  ｄｏｃｕｍｅｎｔ  ｆｅｅｄｅｒ、ＲＤＨ：Ｒｏｕｎｄ  ｄｏｃｕｍｅｎｔ  ｈａｎｄｌｅｒ）が知られている。また、手差し部に所要枚数の原稿を差し込むと、この差し込みを検知して、自動的に原稿を原稿読取部に順次給送する自動給送開始機能を備える用紙搬送装置（ＳＤＦ：Ｓｅｌｆ  ｄｏｃｕｍｅｎｔ  ｆｅｅｄｅｒ）が知られている。
【０００３】
そして、搬送された原稿は原稿読取部で、例えば所定倍率等の設定条件で読み取られた後、露光濃度等の所定の設定条件の下で画像処理等された後、像形成部で記録紙に転写されるようになっている。
【０００４】
【特許文献１】
特開平１−１６６０５６号公報
【０００５】
【発明が解決しようとする課題】
コピーすべき原稿枚数が用紙搬送装置に一度に載置できる寸法を超えるような場合、通常は複数枚毎の原稿束に振り分け、原稿束の数だけ複写を繰り返す作業となるが、この作業を自動供送開始機能を備える用紙搬送装置を持つ画像形成装置で行うと、ある原稿束について設定条件を変更したい場合があっても、原稿束をセットするだけで自動的に給送が行われてしまう結果、条件変更できずに画像形成が行われ、記録紙を無駄に使用するという問題があった。一方、このような多数の原稿束に対して複写を行う場合、原稿束をセットする都度、コピーキーを押下する作業も煩雑なものとなる。
【０００６】
本発明は、上記課題を解決するために、画像形成の態様に応じて操作手順を適宜選択可能にして画像形成時の操作性乃至は作業性を向上する画像読取装置及び画像形成装置を提供することを目的としている。
【０００７】
【課題を解決するための手段】
請求項１に記載の本発明は、原稿載置部に載置された複数枚の原稿を原稿読取部に向けて順次搬送する原稿搬送部を備え、前記原稿読取部で原稿の画像を読み取る画像読取装置において、前記原稿載置部に載置された原稿の有無を検出する原稿検知手段と、外部から原稿画像の読み取りの開始を操作指示する操作手段と、前記操作手段への操作に応答して前記原稿の順次搬送と前記原稿読取部での各原稿の画像の読み取りとを行う第１のモードと、前記原稿検知手段が原稿の有無を検知することに応答して前記原稿の順次搬送と前記原稿読取部での各原稿の画像の読み取りとを行う第２のモードとを選択的に操作指定するモード選択手段と、前記原稿載置部に原稿が載置される毎に、指定されたモードの処理を実行する制御手段とを備えたことを特徴とする。
【０００８】
これによると、モード選択手段に指定されたモードが第１のモードである場合には、操作手段による原稿画像の読み取りの開始の指示によって、原稿搭載部に載置された原稿の順次搬送と前記原稿読取部での各原稿の画像の読み取りとが、制御手段によって実行されることとなり、原稿搭載部に原稿を載置した上で操作手段によって読み取りの開始の指示がなされなければ、原稿搭載部に搭載された原稿が搬送されない。モード選択手段に指定されたモードが第２のモードである場合には、前記原稿検知手段によって原稿が検知されることによって、原稿搭載部に載置された原稿の順次搬送と原稿読取部での各原稿の画像の読み取りとが、制御手段によって実行されることとなり、ユーザによって原稿搭載部に原稿が搭載されるだけで、原稿搭載手段に搭載された原稿が搬送される。
【０００９】
請求項２に記載の本発明は、請求項１記載の画像読取装置において、制御手段は、前記第２のモードの指定が解除されるまでは、前記原稿載置部に原稿が載置される毎に前記第２のモードの処理を実行することを特徴とする。すなわち、第２のモードの指定が解除されるまでの間、原稿搭載部に原稿が載置されると、原稿搭載部に載置された原稿の順次搬送と前記原稿読取部での各原稿の画像の読み取りとが実行される。
【００１０】
請求項３に記載の本発明は、請求項２に記載の画像読取装置において、第２のモードの指定の解除を指示する解除操作手段を備えることを特徴とする。これによって、ユーザが、解除操作手段を操作して所望のモードを選択することが可能となる。
【００１１】
請求項４に記載の本発明は、請求項１〜３のいずれかに記載の画像読取装置において、制御手段は、前記モード選択手段による前記第２のモードの指定操作前に原稿が前記原稿載置部に載置されているときは、前記第１のモードの処理を実行することを特徴とする。これによって、設定条件の変更がなされずに、原稿搭載部に原稿が載置されたとき、誤った設定条件で原稿の順次搬送と各画像の読み取りがなされることが防止される。
【００１２】
請求項５に記載の本発明は、請求項１〜３のいずれかに記載の画像読取装置において、制御手段は、原稿が前記原稿載置部に載置された後に前記モード選択手段による前記第２のモードの指定が行われたときは、前記第２のモードの処理を実行することを特徴とする。これによって、原稿搭載部に原稿が載置された後、この原稿を第２のモードで印刷することが可能となる。
【００１３】
請求項６に記載の本発明は、請求項１〜５のいずれかに記載の画像読取装置と、読み取った原稿の画像データを記録紙に転写する像形成部を備えてなる画像形成装置である。これによって、第２のモードが指定されているときには、ユーザによって原稿搭載部に原稿が搭載されるだけで、原稿が順次搬送され、原稿に記録された像が読み取られ、読み取られた像の形成がなされる。
【００１４】
【発明の実施の形態】
以下、図１〜図４を用いて、本発明の画像読取装置を複写機に用いた場合の本発明の一実施の形態を説明する。
【００１５】
図１は、本発明の一実施の形態にかかる複写機の機械的構成を示す側面概略図である。複写機１は、本体部２００と、本体部２００の左側に配設された用紙後処理部３００と、ユーザが種々の操作指令等を入力するための操作部４００と、本体部２００の上部に配設された原稿読取部５００と、原稿読取部５００の上方に配設された原稿給送部６００とから構成される。
【００１６】
操作部４００は、タッチパネル４０１、スタートキー４０２、テンキー４０３、モード選択キー４０４及びリセットキー４０５等を備える。タッチパネル４０１は、種々の操作画面を表示するとともに、ユーザが種々の操作指令を入力するための種々の操作ボタン等を表示する。スタートキー４０２は、ユーザが印刷実行指令を入力するために用いられ、テンキー４０３は、印刷部数等を入力するために用いられる。モード選択キー４０４は、ユーザが、印刷実行指令の入力方法に関する複数のモードから一のモードの選択を入力するために用いられる。リセットキー４０５は、ユーザの種々の操作指令を解除するために用いられる。
【００１７】
原稿給送部６００は、ＡＤＦ（Ａｕｔｏ  Ｄｏｃｕｍｅｎｔ  Ｆｅｅｄｅｒ）であり、原稿載置部６０１、原稿排出部６０２、給紙ローラ６０３、原稿搬送部６０４及び原稿搭載センサ６０５等を備える。給紙ローラ６０３は、原稿載置部６０１にセットされた原稿を１枚ずつ順に繰り出し、原稿搬送部６０４は、繰り出される原稿を原稿読取部５００に搬送する。原稿搭載センサ６０５は、原稿載置部６０１への原稿の搭載を検知する。原稿読取部５００は搬送される原稿を順次読み取り、読み取られた原稿は原稿排出部６０２に排出される。
【００１８】
原稿読取部５００は、第１コンタクトガラス５０１、第２コンタクトガラス５０２、第１ミラーユニット５２０、第２ミラーユニット５４０、結像レンズ５０７及びＣＣＤユニット５６０とを備える。第１コンタクトガラス５０１は、原稿給送部６００を開けてマニュアルにより原稿の搭載を行うためのものである。第２コンタクトガラス５０２は、原稿搬送部６０４によって搬送される原稿の読み取りを行うためのものである。第１ミラーユニット５２０は、原稿に照射する光源である第１ランプ５０３と原稿からの反射光である原稿の光像の光路を反射させる第１ミラー５０４とを一体化して備え、第１コンタクトガラス５０１の間を移動可能にされている。
【００１９】
第２ミラーユニット５４０は、第１ミラー５０４からの光を反射させる第２ミラー５０５と第３ミラー５０６とを一体化して備えるものである。結像レンズ５０７は、第２ミラーユニット５４０からの原稿光像をＣＣＤの受光面に結像させるものである。ＣＣＤユニット５６０は、結像レンズ５０７によって反射光が絞られ結像された光像を光電変換して画像データを得るラインセンサとしての撮像素子（ＣＣＤ）からなる。
【００２０】
本体部２００は、セットされた給紙カセット２０１〜２０３のいずれからか繰り出された用紙を排出口２０７に導く搬送部２０４を備え、搬送部２０４の途中に像形成部２０５と定着部２０６とを備える。像形成部２０５は、感光体ドラム２０５１及びその周囲に配設された帯電装置２０５２、露光装置２０５３、現像装置２０５４、転写ローラ２０５５を備える。
【００２１】
感光体ドラム２０５１は、矢印方向に回転しながら帯電装置２０５２によって一様に帯電される。露光装置２０５３は、原稿読取部５００において読み取られた原稿の画像データに基づいて生成された変調信号をレーザ光に変換して出力し、感光体ドラム２０５１に各色別に静電潜像を形成する。現像装置２０５４は、各色の現像剤を感光体ドラム２０５１に供給して各色別のトナー画像を形成する。
【００２２】
一方、各給紙カセット２０１〜２０３の装置部には、給紙ローラ２０１ａ〜２０３ａが配設されており、給紙ローラ２０１ａ〜２０３ａは、対応する給紙カセット２０１〜２０３から記録紙を繰り出し、転写ローラ２０５５まで給送する。転写ローラ２０５５は、搬送された記録紙に感光体ドラム２０５１上のトナー像を転写させ、定着部２０６は、転写されたトナー像を加熱して記録紙に定着させる。その後、記録紙は、本体部２００の排出口２０７から用紙後処理部３００に搬入される。また、記録紙は、そのまま排出トレイ２１０へも排出可能にされている。
【００２３】
用紙後処理部３００は、搬入口３０１、記録紙搬送部３０２、搬出口３０３及びスタックトレイ３０４等を備える。記録紙搬送部３０２は、排出口２０７から搬入口３０１に搬入された記録紙を順次搬送し、最終的に搬出口３０３からスタックトレイ３０４へ記録紙を排出する。スタックトレイ３０４は、搬出口３０３から搬出された記録紙の集積枚数に応じて矢印方向に上下動可能に構成されている。
【００２４】
図２は、図１に示す複写機の機能構成を主に示すブロック図である。複写機１は、原稿給送部６００、原稿読取部５００、画像処理部１１、本体部２００、制御部２１、操作部４００を備える。原稿給送部６００、原稿読取部５００、画像処理部１１、制御部２１、操作部４００の各部により画像読み取り機能が実現される。原稿給送部６００、原稿読取部５００、画像処理部１１、本体部２００、制御部２１、操作部４００の各部によりコピー機能が実現される。
【００２５】
操作部４００は、図１に示すタッチパネル４０１等から構成されるタッチパネル部４１０と、図１に示すスタートキー４０２、テンキー４０３及びモード選択キー４０４等から構成される操作キー部４２０とを含む。タッチパネル部４１０は、タッチパネルとＬＣＤ（Ｌｉｑｕｉｄ  Ｃｒｙｓｔａｌ  Ｄｉｓｐｌａｙ）とを組み合わせたタッチパネルユニット等から構成され、コピー機能実行時には、ユーザが該当部分をタッチすることにより、記録紙のサイズ、倍率、枚数等に関する種々の操作指令を入力するための操作ボタン等を表示する。
【００２６】
また、タッチパネル部４１０は、モード選択手段として機能し、連続読み取りモードと通常モードとのうちいずれかの選択をユーザから受け付ける。連続読み取りモードとは、原稿搭載センサ６０５が原稿の有無を検知することに応答して原稿の順次搬送と原稿読取部５００での各原稿の画像の読み取りとを行うモード、すなわち原稿載置部６０１への原稿の搭載をユーザからの印刷実行指令の入力とするモードである。なお、連続読み取りモードが指定されていないとき（連続読み取りモードが指定される前は）、通常モード（第１のモード）が指定されている。通常モードとは、操作部４００への操作に応答して原稿の順次搬送と原稿読取部５００での各原稿の画像の読み取りとを行うモード、すなわち原稿載置部６０１への原稿の搭載をユーザからの印刷実行指令の入力とせず、操作部４００に受け付けられた印刷実行指令のみを印刷実行指令とするモードである。操作キー部４２０は、操作手段として機能し、ユーザによって外部から原稿画像の読み取りの開始を操作指示されるためのものであり、この指示は印刷開始指令に含まれる。
【００２７】
制御部２１は、制御手段として機能し、スキャナコントローラ２２、原稿搬送コントローラ２３、コピーコントローラ２４及びモード内容記憶部２５を含む。制御部２１は、マイクロコンピュータ及び専用のハードウエア回路等から構成され、装置全体の動作を制御する。スキャナコントローラ２２は、スキャナ機能を実現するために用いられる各部の動作を制御する。原稿搬送コントローラ２２は、スキャナ機能及びコピー機能を実現するために用いられる原稿給送部６００の動作を制御する。コピーコントローラ２４は、コピー機能を実現するために用いられる各部の動作を制御する。モード内容記憶部２５は、連続読み取りモードの所定の処理内容及び通常モードの所定の処理内容を記憶し、スキャナコントローラ２２、原稿搬送コントローラ２３及びコピーコントローラ２４が、原稿が原稿載置部６０１に搭載される毎に、モード内容記憶部２５に記憶されている、指定されたモードの所定の処理内容を実行する。
【００２８】
具体的には、連続読み取りモードが指定されているときには、原稿搭載センサ６０５が原稿の有無を検知することに応答して、原稿搬送コントローラ２２が、原稿給送部６００に原稿の順次搬送をさせ、スキャナコントローラ２２が、原稿読取部５００での各原稿の画像の読み取りとを行わせ、コピーコントローラ２４が、読み取った画像を本体部２００に形成させ、プリントアウトさせる。ここで、連続モードが指定されているときには、原稿の複写条件は、連続読み取りモードが設定されて以後、一度目の複写条件から変更不能にされる。複写条件とは、原稿の印刷サイズ、記録紙のサイズ、倍率等の原稿の複写に関する条件である。通常読み取りモードが記憶されているときには、印刷開始指令が操作キー部４２０に受け付けられたことに応答して、原稿給送部６００に原稿の順次搬送をさせ、スキャナコントローラ２２が、原稿読取部５００での各原稿の画像の読み取りを行わせ、コピーコントローラ２４が、読み取った画像を本体部２００に形成させ、プリントアウトさせる。
【００２９】
原稿給送部６００は、図１に示す原稿搭載センサ６０５等から構成された原稿検知部６１０を含み、原稿給送部６００に搭載された原稿の有無を検知する。原稿読取部５００は、図１に示すスキャナ５０１を構成する露光ランプ５１０及びＣＣＤ（電荷結合素子）５２０を含む。原稿読取部５００は、露光ランプ５１０により原稿を照射し、その反射光をＣＣＤ５２０で受光することにより、原稿から画像を読み取り、読み取った画像に対応する画像データを画像処理部１１へ出力する。
【００３０】
画像処理部１１は、補正部１２、画像加工部１３及び画像メモリ１４を含む。画像処理部１１は、読み取られた画像データを必要に応じて補正部１２及び画像加工部１３により処理し、処理された画像データを画像メモリ１４に記憶する。補正部１２は、読み取られた画像データに対してレベル補正、γ補正等の所定の補正処理を行う。画像加工部１３は、画像データの拡大又は縮小処理等の種々の加工処理を行う。
【００３１】
本体部２００は、画像形成装置であり、図１に示す給紙カセット２０１〜２０３及び給紙ローラ２０１ａ〜２０３ａ等から構成される搬送部２１０、図１に示す感光体ドラム２０５１、露光装置２０５３及び現像装置２０５４等から構成される像形成部２２０、図１に示す定着部２０６等から構成される定着部２３０を含む。本体部２００は、原稿読取部５００により読み取られた原稿データを用いて画像を記録紙に印刷する。具体的には、搬送部２１０は記録紙を像形成部２２０へ搬送し、像形成部２２０は上記の画像データに対応するトナー像を形成し、定着部２３０はトナー像を記録紙に定着させて画像を形成する。
【００３２】
本実施の形態においては、上記原稿給送部６００、制御部２１、操作部４００で画像読取装置が構成される。
【００３３】
図３は、図２に示す複写機の原稿搬送処理の一例を説明するためのフローチャートである。
【００３４】
まず、原稿搬送コントローラ２３が、原稿搭載センサ６０５によって原稿載置部６０１上の原稿が検知されたかどうかを判断し（Ｓ１）、原稿載置部６０１に原稿が検知されたと判断される場合には（Ｓ１でＹＥＳ）、ステップＳ７が実行される。ステップＳ７については、後述する。原稿載置部６０１上に原稿が検知されたと判断されない場合には（Ｓ１でＮＯ）、原稿搬送コントローラ２３が、連続読み取りモード（第２のモード）の指定がされているかどうかを判断する（Ｓ２）。連続読み取りモードの指定は、図４、図５に示す操作部４００を用いてユーザによってなされる。
【００３５】
図４、図５は、操作部の一例を示す図である。図４では、「コピーできます」と表示される初期画面がタッチパネル４０１に表示されている。モード選択キー４０４には、連続読み込みキー４０４１が表示されており、この連続読込キー４０４１が押下されることによって、図５に示すように連続読み込み機能選択画面がタッチパネル４０１に表示される。連続読み込み機能選択画面には、連続読み取り開始キー４０１１と連続読み取り完了キー４０１２が表示される。この連続読み取り開始キー４０１１が押されることによって連続読み取りモードが指定される。また、連続読み取り完了キー４０１２が押下されることによって、連続読み取りモードの指定の解除が指示され、通常モードが指定される。なお、連続読み取り開始キー４０１１が押下される前は、通常モードが指定される。
【００３６】
図３に戻って、連続読み取りモードの指定がされていると判断されない場合には（Ｓ２でＮＯ）、ステップＳ１が再度実行され、連続読み取りモードの設定がされていると判断される場合には（Ｓ２でＹＥＳ）、原稿搬送コントローラ２３は、原稿搭載センサ６０５によって原稿載置部６０１に原稿が検知されたかどうかを判断する（Ｓ３）。原稿載置部６０１に原稿が検知されたと判断されない場合には（Ｓ３でＮＯ）、繰り返しステップＳ３が実行される。原稿載置部６０１に原稿が検知されたと判断される場合には（Ｓ３でＹＥＳ）、給紙ローラ６０３が、原稿載置部６０１にセットされた原稿を１枚ずつ繰り出し、原稿搬送部６０４が、繰り出される原稿を順次に原稿読取部５００に搬送し、原稿読取部５００が搬送される原稿の画像を読み取る、一連の読み取り動作がなされる（Ｓ４）。従って、原稿が原稿載置部６０１に搭載された後に、連続読取モードの指定が行われたときも、連続読み取りモードが実行されることとなる。
【００３７】
その後、本体部２００が、読み取られた原稿の画像データに基づいて、記録紙に原稿の画像を複写する。この複写条件は、原稿載置部６０１に原稿が搭載された時に設定されているものが適用される。
【００３８】
原稿載置部６０１の全ての原稿について読み取り動作がなされた後、原稿搬送コントローラ２３は、連続読み取りモード指定の解除がなされたかどうかを判断する（Ｓ５）。具体的には、連続読み取り完了キー４０１２が押されたかどうかを判断する。連続読み取りモード指定の解除がなされたと判断される場合には（Ｓ５でＹＥＳ）、原稿搬送処理は終了し、連続読み取りモード指定の解除がなされたと判断されない場合には（Ｓ５でＮＯ）、原稿搬送コントローラ２３が、原稿搭載センサ６０５によって原稿載置部６０１上の原稿が検知されたかどうかを判断する（Ｓ６）。
【００３９】
原稿載置部６０１上に原稿が検知されたと判断されない場合には（Ｓ６でＮＯ）、再度ステップＳ５が実行され、読み取りモード指定の解除がなされたかどうか判断される。原稿載置部６０１上に原稿が検知されたと判断される場合には（Ｓ６でＹＥＳ）、ステップＳ４が実行され、読み取り動作がなされる。その後、本体部２００が、読み取られた原稿の画像データに基づいて、記録紙に原稿の画像を複写する。ここで適用される複写条件は、連続読み取りモードに設定後、一度目に読み取られた原稿と同一のものである。これによって、ユーザは、原稿載置部６０１に原稿を搭載するだけの操作で、同一の複写条件で複数回原稿を印刷することができる。その後、ステップＳ５が実行される。従って、原稿搬送処理は、連続読み取りモードが解除されるまで終了せず、原稿が原稿載置部６０１に搭載される毎に、その原稿の読み取り動作がなされ、同一複写条件で原稿の画像が複写されることになる。
【００４０】
また、原稿載置部６０１上に原稿が検知されたと判断される場合には（Ｓ１でＹＥＳ）、ステップＳ７が実行され、原稿搬送コントローラ２３が、連続読み取りモードの指定がされているかどうかを判断する。連続読み取りモードの指定がされていると判断される場合には（Ｓ７でＹＥＳ）、スタートキー４０２が押下されなくてもステップＳ４が実行されて、読み取り動作がなされ、連続読み取りモードの設定がされていると判断されない場合には（Ｓ７でＮＯ）、原稿搬送コントローラ２３が、スタートキー４０２が押下されたかどうかを判断する（Ｓ８）。
【００４１】
スタートキー４０２が押下されたと判断されない場合には（Ｓ８でＮＯ）、再度ステップＳ７が実行される。スタートキー４０２が押下されたと判断される場合には（Ｓ８でＹＥＳ）、搭載された原稿の読み取り動作がなされ、本体部２００が、読み取られた原稿の画像データに基づいて、記録紙に原稿の画像を複写する。ここで適用される複写条件は、スタートキー４０２が押下されたときに設定されているものである。その後、原稿搬送処理は終了する。
【００４２】
このように、本実施の形態にかかる複写機１では、連続読み取りモードが指定されているときには、原稿載置部６０１に原稿が搭載されるだけで、原稿搭載センサ６０５によって原稿の搭載が検知されて、原稿搬送部６０４が原稿を原稿読取部５００に搬送することになる。すなわち、スタートキー４０２が押下されなくても印刷開始指令の入力が可能となる。一方、通常モードが指定されている場合には、原稿載置部６０１に原稿が搭載された後、スタートキー４０２が押下されることによって、原稿搬送部６０４が原稿読取部５００に原稿を搬送することになる。すなわち、スタートキー４０２の押下のみによって印刷開始指令の入力が可能となる。
【００４３】
従って、複数の原稿束を順次複写する場合に通常モードが指定されると、ある原稿束について複写条件を変更したいとき、ユーザが複写条件の変更を忘れたまま原稿載置部６０１に原稿を搭載し、複写条件を変更できずに複写が行われてしまうことが防止される。また、複写条件の変更を行わず複数の原稿束を複写する場合に、連続読み取りモードが指定されることで、原稿の複写毎にスタートキー４０２を押す煩をユーザに与えないことが可能となる。
【００４４】
特に、連続読み取りモードが指定されている間では、一度目の原稿と同じ複写条件で画像が複写されるため、同一の複写条件で複数回原稿が印刷される場合に、複写条件の設定を複数回行う煩をユーザに与えないことが可能となる。すなわち、通常、複写条件が設定されても、所定期間何ら操作指令が入力されないと、初期複写条件に変更されてしまうが、連続読み取りモードが指定されているときには、その間常に同一の複写条件で画像が複写されるため、複写条件の設定を複数回行う煩をユーザに与えない。
【００４５】
なお、原稿給紙部６００は、必ずしもＡＤＦ（ＡＤＦ：Ａｕｔｏ  ｄｏｃｕｍｅｎｔ  ｆｅｅｄｅｒ）、である必要はなく、ＲＡＤＦ（ＲＡＤＦ：Ｒｅｖｅｒｓｉｂｌｅ  Ａｕｔｏ  ｄｏｃｕｍｅｎｔ  ｆｅｅｄｅｒ）、ＲＤＨ（ＲＤＨ：Ｒｏｕｎｄ  ｄｏｃｕｍｅｎｔ  ｈａｎｄｌｅｒ）等であってもよい。また、本実施の形態では、複写機１が、コピー機能を発揮するときに、原稿搬送処理が実行されたが、スキャナ機能、ファクシミリ機能を発揮するときに、原稿搬送処理が実行されてもよい。この場合には、連続読み取りモードが指定されているとき、複写条件ではなく、読み取り条件が同一となる。なお、読み取り条件とは、原稿の画像を読み取る、解像度、用紙サイズ及びカラー選択等の条件である。
【００４６】
また、本発明は、複写機以外に、自動で原稿を順次繰り出し、繰り出した原稿の画像を読み取って、所要の出力処理に供するためのスキャナ装置やファクシミリ装置等の画像形成装置に適用可能である。
【００４７】
【発明の効果】
請求項１に記載の発明によれば、第２のモードが指定されているときには、ユーザによって原稿搭載部に原稿が搭載されるだけで、原稿搭載部に搭載された原稿が搬送されるため、多数の原稿束に対して複写を行う場合、原稿束をセットする都度、コピースイッチを押下する作業が不要になる。更に、第１のモードが指定されていれば、ある原稿束について設定条件を変更したい場合があっても、原稿束をセットするだけで自動的に給紙が行われてしまうことがなく、結果、条件変更できずに画像形成が行われることが防止される。これによって、画像形成の態様に応じて第１のモード及び第２のモードを適宜選択可能にし、画像形成時の操作性乃至は作業性を向上させることができる。
【００４８】
請求項２に記載の発明によれば、第２のモードの指定が解除されるまでの間、都度条件の設定が行われなくても、同じ条件で原稿の搬送が可能となるため、ユーザは都度条件の設定を行わなくてもよく、操作性の向上を図ることができる。
【００４９】
請求項３に記載の発明によれば、ユーザ所望のモードが選択可能なため、ユーザの操作性が向上する。
【００５０】
請求項４に記載の発明によれば、第２のモードが指定されるまでは、設定条件の変更がなされずに、原稿搭載部に原稿が載置されたとき、誤った設定条件で原稿の順次搬送と各画像の読み取りがなされることを防止され、画像形成時の操作性乃至は作業性を向上させることができる。
【００５１】
請求項５に記載の発明によれば、原稿搭載部に原稿が載置された後、この原稿を第２のモードで印刷することが可能となり、一層ユーザの操作性の向上を図ることができる。
【００５２】
請求項６に記載の本発明によれば、ユーザによって原稿搭載部に原稿が搭載されるだけで、原稿搭載部に搭載された原稿が搬送され、原稿に記録された像の読み取り、読み取った像の形成がなされるため、ユーザの操作性が向上する。
【図面の簡単な説明】
【図１】本発明の一実施の形態にかかる複写機の機械的構成を示す側面概略図である。
【図２】図１に示す複写機の機能的構成を示すブロック図である。
【図３】図２に示す複写機の原稿搬送処理の一例を説明するためのフローチャートである。
【図４】操作部の一例を示す図である。
【図５】操作部の一例を示す図である。
【符号の説明】
１      複写機（画像形成装置）
２１    制御部（制御手段）
２２０  像形成部
４００  操作部（操作手段、モード選択手段、解除操作手段）
５００  原稿読取部（原稿読取部）
６０１  原稿載置部
６０４  原稿搬送部
６１０  原稿検知部（原稿検知手段）
【図１】
2004304593.tif 000003
【図２】
2004304593.tif 000004
【図３】
2004304593.tif 000005
【図４】
2004304593.tif 000006
【図５】
2004304593.tif 000007